(57)【要約】【課題】従来の収納式折り畳み椅子は、取付幅の調節ができないため、玄関等の使いやすい適当な場所に備えることができない場合がある。【解決手段】凹部側ベース部材９、１１を木枠１１５に固定し、椅子本体１１１を格納凹部１１３に入れ、ボルト３３を長穴３１と丸穴１５に通してナットを取付けてゆるく締めた状態とする。この状態で凹部側ベース部材９、１１の丸穴１５に通されているボルト３３は、長穴３１の範囲内において動くことができ、したがって凹部側ベース部材９、１１は左右方向にスライド自在であり、任意の位置で固定することができる。このように、ベース部材の取付幅は格納凹部１１３の幅寸法に応じて調整可能である。【選択図】        図４
2005177439.tif 000002
【特許請求の範囲】
【請求項１】
構築物に設けられた格納凹部に固定されるベース部材と、前記ベース部材に一端が回動自在に連結された座板取付アームと、前記座板取付アームに取付けられた座板と、前記座板取付アームの他端が回動自在に連結された脚体とから成り、前記座板取付アームが回動して前記座板が格納凹部に収納される収納状態と、座板がほぼ水平になり脚体が床に着く引き出し状態とに移動する収納式折り畳み椅子において、ベース部材の取付幅は格納凹部の幅寸法に応じて調節可能であることを特徴とする収納式折り畳み椅子。
【請求項２】
請求項１に記載した収納式折り畳み椅子において、格納凹部は壁に設けられたものであることを特徴とする収納式折り畳み椅子。
【請求項３】
請求項１に記載した収納式折り畳み椅子において、格納凹部は収納庫の物品を収納する収納部であることを特徴とする収納式折り畳み椅子。
【請求項４】
請求項１から３のいずれかに記載した収納式折り畳み椅子において、ベース部材に一端が回動自在に連結され座板取付アームより座板から離れて備えられた離間アームを備え、脚体は座板取付アームと離間アームの他端に回動自在に連結され、前記座板取付アームと離間アームとが平行を保ったまま回動して座板が格納凹部に収納される収納状態と、座板がほぼ水平になり脚体が床に着く引き出し状態とに移動することを特徴とする収納式折り畳み椅子。
【請求項５】
請求項１から４のいずれかに記載した収納式折り畳み椅子において、ベース部材は格納凹部に固定される凹部側ベース部材と、前記凹部側ベース部材に連結される座板取付アームを支持するアーム側ベース部材とによって構成され、前記凹部側ベース部材は前記アーム側ベース部材に対し、左右方向にスライド自在に連結され、しかも凹部側ベース部材をスライド方向の任意の位置で固定する固定手段が設けられていることを特徴とする収納式折り畳み椅子。
【請求項６】
請求項１から５のいずれかに記載した収納式折り畳み椅子において、脚体には扉板が取り付けられ、前記扉板は座板が格納凹部に収納される収納状態になると格納凹部の開口を覆う姿勢となることを特徴とする収納式折り畳み椅子。
【発明の詳細な説明】
【技術分野】
【０００１】
本発明は、収納式折り畳み椅子に関するものである。
【背景技術】
【０００２】
玄関等で履物を履いたりする場合、足腰が弱っている人は椅子に腰掛けて行うほうが楽であるが、一般住宅の玄関の広さで椅子を置いたままにしておくと邪魔になってしまう。
そこで特許文献１に示す収納式折り畳み椅子が開発されている。
【０００３】
【特許文献１】特開２００３−２１０２７９号公報
【発明の開示】
【発明が解決しようとする課題】
【０００４】
一般住宅の玄関にはかなり狭いものもある。従って、収納式折り畳み椅子を収納する格納凹部の配置スペースが限られていることが多く、特に格納凹部の幅方向のスペースが制限されることが多い。
しかしながら、特許文献１の収納式折り畳み椅子は、取付幅の調節ができないため、使いやすい適当な場所に備えることができない場合がある。
【０００５】
本発明は、上記の課題を解決するためになされたものであり、スペースの制限があっても、使いやすい適当な場所に備えることができる収納式折り畳み椅子を提供することを目的とする。
【課題を解決するための手段】
【０００６】
この目的を達成するために、請求項１の発明は、構築物に設けられた格納凹部に固定されるベース部材と、前記ベース部材に一端が回動自在に連結された座板取付アームと、前記座板取付アームに取付けられた座板と、前記座板取付アームの他端が回動自在に連結された脚体とから成り、前記座板取付アームが回動して前記座板が格納凹部に収納される収納状態と、座板がほぼ水平になり脚体が床に着く引き出し状態とに移動する収納式折り畳み椅子において、ベース部材の取付幅は格納凹部の幅寸法に応じて調節可能であることを特徴とする収納式折り畳み椅子である。
【０００７】
請求項２の発明は、請求項１に記載した収納式折り畳み椅子において、格納凹部は壁に設けられたものであることを特徴とする収納式折り畳み椅子である。
【０００８】
請求項３の発明は、請求項１に記載した収納式折り畳み椅子において、格納凹部は収納庫の物品を収納する収納部であることを特徴とする収納式折り畳み椅子である。
【０００９】
請求項４の発明は、請求項１から３のいずれかに記載した収納式折り畳み椅子において、ベース部材に一端が回動自在に連結され座板取付アームより座板から離れて備えられた離間アームを備え、脚体は座板取付アームと離間アームの他端に回動自在に連結され、前記座板取付アームと離間アームとが平行を保ったまま回動して座板が格納凹部に収納される収納状態と、座板がほぼ水平になり脚体が床に着く引き出し状態とに移動することを特徴とする収納式折り畳み椅子である。
【００１０】
請求項５の発明は、請求項１から４のいずれかに記載した収納式折り畳み椅子において、ベース部材は格納凹部に固定される凹部側ベース部材と、前記凹部側ベース部材に連結される座板取付アームを支持するアーム側ベース部材とによって構成され、前記凹部側ベース部材は前記アーム側ベース部材に対し、左右方向にスライド自在に連結され、しかも凹部側ベース部材をスライド方向の任意の位置で固定する固定手段が設けられていることを特徴とする収納式折り畳み椅子である。
【００１１】
請求項６の発明は、請求項１から５のいずれかに記載した収納式折り畳み椅子において、脚体には扉板が取り付けられ、前記扉板は座板が格納凹部に収納される収納状態になると格納凹部の開口を覆う姿勢となることを特徴とする収納式折り畳み椅子である。
【発明の効果】
【００１２】
本発明の収納式折り畳み椅子では、取付幅の調整ができるので、スペースの制限があっても、使いやすい適当な場所に備えることができるようになる。
【実施例１】
【００１３】
図１から図６に本発明の実施例１に係る収納式折り畳み椅子１を説明する。
収納式折り畳み椅子１は構築物である壁Ｗに設けられた格納凹部３に嵌めこまれた木枠５内に収納される。木枠５は収納式折り畳み椅子１が収納できる大きさであり、厚手の板材を縦長矩形に組んで作られている。
木枠５は格納凹部３に嵌めこまれた状態で壁Ｗに釘やビスなどで固定されている。
左右の凹部側ベース部材９、１１は金属板を直角に折り曲げて形成されており、この折り曲げ部を境にして設けられた一方の折り曲げ片１２には取付穴１３が３個形成され、他方の折り曲げ片１４には丸穴１５が２個形成されている。
【００１４】
符号１９は金属板からなるアーム側ベース部材を示し、このアーム側ベース部材１９は水平板２０と、この水平板２０の一端部に連続して形成された取付板２１とから構成されている。取付板２１の端部は後方へ向かって水平に折り曲げられている。取付板２１の両端部には左右方向に延びる長穴３１が上下に間隔をあけて２個ずつ形成されている。また、取付板２１のほぼ中央には角穴２３が形成されている。
【００１５】
アーム側ベース部材１９の取付板２１上には、その中央位置から若干右寄りに油圧ダンパー取付部材３５が設けられている。油圧ダンパー取付部材３５は金属板が直角に折り曲げられて形成されており、その垂直片に油圧ダンパー３７が取付けられている。なお、油圧ダンパー３７の一部は角穴２３に入り込んでいる。
取付板２１にはコの字形状のブラケット２５が左右に間隔を開けて固定されている。このブラケット２５の一方の取付片２６には丸穴２８が形成され、もう一方の取付片２７にはネジ穴２９が形成されている。
凹部側ベース部材９、１１とアーム側ベース部材１９とによってベース部材が構成されている。
【００１６】
脚体４３の構成について説明する。
一対の脚４５には２本の連結棒５３の両端部が取付けられており、一対の脚４５は２本の連結棒５３を介して連結されている。脚４５の下端部にはネジによって出入するアジャスター４９が取付けられている。
脚４５の上端部には貫通穴５７、５９が上下方向に間隔をあけて形成されている。
【００１７】
符号６７は座板を示し、座板６７の裏面には２本の座板取付アーム６９、７０が取付けられている。座板取付アーム６９、７０は座板６７の左右両端部に各々配置されている。座板取付アーム６９、７０は両端部を除いた中央部分が横断面コの字状に形成され、また一端部は座板６７と反対方向側へわずかに湾曲して形成されている。座板取付アーム６９、７０の両端部には丸穴７３、７７が形成されている。
【００１８】
符号７９は離間アームを示し、離間アーム７９は金属板を直角に折り曲げて形成され、両端部には取付部８３、８７がそれぞれ形成されている。取付部８３には丸穴８５が形成されている。この丸穴８５にシャフト６５が挿通されており、このシャフト６５は離間アーム７９に溶接されて固定されている。また、取付部８７には円盤８９が固定されており、この円盤８９の中心には角棒状の取付軸９１が固定されて設けられている。
【００１９】
シャフト６５の両端部は２本の脚４５の貫通穴５９に挿入され、Ｅリング３２によって抜け止めされており、このＥリング３２とスペーサー３０は脚４５を挟んで両側に配置される。これにより、離間アーム７９は脚４５に回動自在に支持される。
座板６７に固定した座板取付アーム６９、７０に一対の脚４５をそれぞれ嵌めて、ピン９３をスペーサー３０、座板取付アーム６９、７０の丸穴７３、貫通穴５７、座板取付アーム６９、７０の丸穴７３およびスペーサー３０の順に挿通し、両端部をＥリング３２によって抜け止めする。これにより、座板取付アーム６９、７０はピン９３に回動自在に支持される。
【００２０】
アーム支持軸３９は六角ボルトで構成されており、アーム支持軸３９をブラケット２５の丸穴２８、スペーサー３０、座板取付アーム６９、７０のそれぞれの丸穴７７、スペーサー３０の順に挿通してネジ穴２９に螺合させ、ネジ穴２９から突出した部分には袋ナット４１が取り付けられている。これにより、座板取付アーム６９、７０はアーム支持軸３９に回動自在に支持される。
円盤８９の取付軸９１は油圧ダンパー３７の図示しない嵌合部に嵌めこまれ、連結される。この離間アーム７９はアーム側ベース部材１９の幅方向中央位置に備えられる。
脚体４３の前面には扉板９７が取付けられており、この扉板９７は木枠５にほぼぴったり嵌まる大きさに設定されている。扉板９７の前面には把手穴１０７が形成されており、背面の上端部には鉄片１０１が２箇所に取付けられている。
このようにして組み立てられたベース部材を除く組立体を椅子本体１１１とする。
【００２１】
次に椅子本体１１１を格納凹部３に取付ける作業について説明する。
まず、凹部側ベース部材９、１１を木枠５の左右の内側面下端部にあてがい、木ネジ１７で凹部側ベース部材９、１１を木枠５に固定する。
そして、椅子本体１１１を格納凹部３に入れ、固定手段としてのボルト３３を取付板２１の長穴３１と凹部側ベース部材９、１１の丸穴１５に通し、ボルト３３の先端部にナットを取付けて締め付ける。
木枠５の上端部内側面には扉板９７に備えられた鉄片１０１に対応する位置にマグネット式固定具９９がそれぞれ取付けられている。椅子本体１１１が折り畳まれ、鉄片１０１がマグネット式固定具９９に吸着されることによって、扉板９７が木枠５に固定されて、椅子本体１１１は収納状態を保つ。
【００２２】
以下に収納式折り畳み椅子１の使用方法を説明する。
図４に示すように、収納式折り畳み椅子１を使用しないときは、椅子本体１１１は折り畳まれて格納凹部３に収容され、収納状態となっている。この収容状態では、扉板９７が格納凹部３の前面開口４を閉鎖している。
収納式折り畳み椅子１を使用するときは、まず把手穴１０７に手を入れて扉板９７を手前に引き、マグネット式固定具９９と鉄片１０１の吸着を外す。さらに扉板９７を手前に引くと座板取付けアーム６９、７０がアーム支持軸３９を支点として図５において反時計回りに回動し、これと同時に座板取付けアーム６９、７０と平行を保ったまま離間アーム７９が取付軸９１を支点として回動する。そして、アジャスター４９が床Ｆに着き、椅子本体１１１は図１に示すように引き出し状態となる。この引き出し状態では座板６７はほぼ水平になっている。
【００２３】
椅子本体１１１を収納状態から引き出し状態にする際、取付軸９１に連結されている油圧ダンパー３７によって一つの離間アーム７９に制動力が加えられ、離間アーム７９は比較的ゆっくりと動作する。これにより、離間アーム７９と平行リンク機構を構成する座板取付けアーム６９、７０が固定されている座板６７も比較的ゆっくりと動くため、椅子本体１１１が極端に勢いよく動いてしまうのを防止できる。
離間アーム７９は座板６７の幅方向中央位置に設けられているため、椅子本体１１１を引き出す際に左右方向にぶれることなく、安定した状態で回動させることができる。
なお、油圧ダンパー３７は、椅子本体１１１を引き出し状態から収納状態に動作させる際には、椅子本体１１１が収納状態になる方向、即ち図５において離間アーム７９を時計回りの方向へ付勢する力を発揮する。従って、椅子本体１１１を収納状態となる方向へ比較的軽く動作させることができる。
【００２４】
格納凹部３よりも幅寸法の小さい格納凹部１１３に収納式折り畳み椅子１を収容する場合の取付方法を説明する。
図４に示すように、格納凹部１１３の幅寸法は格納凹部３より小さく、したがって木枠１１５は木枠５よりも幅寸法が小さくなっている。
上述したように、凹部側ベース部材９、１１を木枠１１５に固定し、椅子本体１１１を格納凹部１１３に入れ、ボルト３３を長穴３１と丸穴１５に通してナットを取付けてゆるく締めた状態とする。この状態で凹部側ベース部材９、１１の丸穴１５に通されているボルト３３は、長穴３１の範囲内において動くことができ、したがって凹部側ベース部材９、１１は左右方向にスライド自在であり、任意の位置で固定することができる。このように、ベース部材の取付幅は格納凹部１１３の幅寸法に応じて調整可能である。
【実施例２】
【００２５】
図７から図１１に本発明の実施例２に係る収納式折り畳み椅子２０１を説明する。この収納式折り畳み椅子２０１は実施例１に係る収納式折り畳み椅子１と後述する部分を除き同じ構造を有するので、同じ構造部分の説明を省略し異なる構造部分についてのみ説明する。また実施例２の説明において実施例１で用いた符号を引用する。
収納式折り畳み椅子２０１は構築物である収納庫Ｓの格納凹部としての収容部２０３に収納される。収納庫Ｓはマンション等の玄関に設けられ、履物等を収納するためのものである。
【００２６】
収容部２０３は底板２０５、天板２０７、左右の側板２０９、２１１及び背板２１３によって画定され、その内部は棚板２１５が備えられている。
さらに収納庫Ｓには収容部２０３の下側に引出２１７、収容部２０３の上側に扉板２１９によって開口が閉鎖されている収容部２２０、また収容部２０３の右側には扉板２２１によって開口が閉鎖された収容部（図示せず）等が設けられている。
【００２７】
脚体４３の前面には扉板２２３が取付けられており、この扉板２２３の前面には凹状取っ手２２５が形成されている。また、扉板２２３の背面の上端部には鉄片１０１が１箇所に取付けられている。
このように収納式折り畳み椅子２０１は実施例１の収納式折り畳み椅子１と、扉板２２３と鉄片１０１の数を除き同じ構造を有している。
収納式折り畳み椅子２０１のベース部材を除く組立体を椅子本体２２７とする。
【００２８】
椅子本体２２７を収容部２０３に取付ける作業は、凹部側ベース部材９、１１が収容部２０３を画定する左右の側板２０９、２１１に固定する点を除き同様である。
天板２０７内側面には扉板２２３に備えられた鉄片１０１に対応する位置にマグネット式固定具９９が取付けられている。椅子本体２２７が折り畳まれ、鉄片１０１がマグネット式固定具９９に吸着されることによって、扉板２２７が天板２０７に固定されて、椅子本体２２７は収納状態を保つ。
【００２９】
以下に収納式折り畳み椅子２０１の使用方法を説明する。
図１０に示すように、収納式折り畳み椅子２０１を使用しないときは、椅子本体２２７は折り畳まれて収容部２０３に収容され、収納状態となっている。この収容状態では扉板２２３は収容部２０３の前面開口２０４を閉鎖している。
収納式折り畳み椅子２０１を使用するときは、まず凹状取っ手２２５に手をかけて扉板２２３を手前に引き、マグネット式固定具９９と鉄片１０１の吸着を外す。さらに扉板２２３を手前に引くと座板取付けアーム６９、７０がアーム支持軸３９を支点として図１１において反時計回りに回動し、実施例１の収納式折り畳み椅子１と同様に動作して、椅子本体２２７は図７に示すように引き出し状態となる。
【００３０】
収容部２０３よりも幅寸法の小さい格納凹部２２９に収納式折り畳み椅子１を収容する場合の取付方法を説明する。
図９に示すように、収容部２２９の幅寸法は収容部２０３より小さく、したがって収容部２２９を画定する左側板２０９と右側板２１１との距離は、収容部２０３を画定する左側板２０９と右側板２１１との距離よりも小さくなっている。
凹部側ベース部材９、１１を左右の側板２０９、２１１にそれぞれ固定し、椅子本体２２７を収容部２２９に入れ、ボルト３３を長穴３１と丸穴１５に通してナットを取付けてゆるく締めた状態とする。この状態で凹部側ベース部材９、１１の丸穴１５に通されているボルト３３は、長穴３１の範囲内において動くことができ、したがって凹部側ベース部材９、１１は左右方向にスライド自在であり、任意の位置で固定することができる。このように、ベース部材の取付幅は収容部２２９の幅寸法に応じて調整可能である。
【００３１】
実施例２の収納式折り畳み椅子２０１は、建物内に通常設置される収納庫に備えるので、大がかりな工事を必要とせず、低コストで収納式折り畳み椅子を備えることが可能となる。また、建物の新築時だけでなく、既存の建物に備えられている収納庫を利用して後付することも簡単に行うことができる。
【００３２】
以上、本発明の実施例を説明したが、本発明の具体的構成はこの実施例に限定されるものではなく、本発明の要旨から外れない範囲での設計変更等があっても本発明に含まれる。
上記実施例ではダンパーとして油圧式のものを示したが、コイルスプリング、トーションバネ等を利用したダンパーを用いてもよい。
また、上記実施例では、一つの離間アーム７９と一つ油圧ダンパー３７を備えるようにしたが本発明はこれに限定されず、２つ以上の離間アーム及び油圧ダンパーを具備するようにしてもよい。
【００３３】
さらに、上記実施の形態では離間アーム７９を備え、この離間アーム７９と座板取付アーム６９、７０とによって平行リンク機構を有する構成としたが、本発明はこれに限定されず、離間アーム７９を備えず、座板取付アーム６９、７０のみが回動して、座板６７を収納状態と引き出し状態とに動作できる構成にしてもよい。
また、実施例２における収納庫は履物入れるためのものに限定されず、本発明は種々の物品を入れる収納庫に適用できる。
【図面の簡単な説明】
【００３４】
【図１】本発明の実施例１に係る収納式折り畳み椅子の斜視図である。
【図２】本発明の実施例１に係る収納式折り畳み椅子の構成を説明する分解斜視図である。
【図３】本発明の実施例１に係る収納式折り畳み椅子の収納状態をあらわした図である。
【図４】本発明の実施例１に係る収納式折り畳み椅子の収納状態をあらわした図である。
【図５】本発明の実施例１に係る収納式折り畳み椅子の収納状態をあらわした断面図である。
【図６】本発明の実施例１に係る収納式折り畳み椅子を収納状態から引き出し状態にする途中の断面図である。
【図７】本発明の実施例２に係る収納式折り畳み椅子の斜視図である。
【図８】本発明の実施例２に係る収納式折り畳み椅子の収納状態をあらわした図である。
【図９】本発明の実施例２に係る収納式折り畳み椅子の収納状態をあらわした図である。
【図１０】本発明の実施例２に係る収納式折り畳み椅子の収納状態をあらわした断面図である。
【図１１】本発明の実施例２に係る収納式折り畳み椅子を収納状態から引き出し状態にする途中の断面図である。
【符号の説明】
【００３５】
１  収納式折り畳み椅子      ３  格納凹部      ４  開口      ５  木枠
９  凹部側ベース部材      １１  凹部側ベース部材      １２  折り曲げ片
１３  取付穴      １４  折り曲げ片      １５  丸穴      １７  木ネジ
１９  アーム側ベース部材      ２０  水平板      ２１  取付板
２３  角穴      ２５  ブラケット      ２６  取付片      ２７  取付片
２８  丸穴      ２９  ネジ穴      ３０  スペーサー      ３１  長穴
３２  Ｅリング      ３３  ボルト      ３５  油圧ダンパー取付部材
３７  油圧ダンパー      ３９  アーム支持軸      ４１  袋ナット
４３  脚体      ４５  脚      ４９  アジャスター      ５３  連結棒
５７  貫通穴      ５９  貫通穴      ６５  シャフト      ６７  座板
６９  座板取付アーム      ７０  座板取付アーム      ７３  丸穴
７７  丸穴      ７９  離間アーム      ８３  取付部      ８５  丸穴
８７  取付部      ８９  円盤      ９１  取付軸      ９３  ピン
９７  扉板      ９９  マグネット式固定具      １０１  鉄片
１０７  把手穴      １１１  椅子本体      １１３  格納凹部
１１５  木枠      Ｗ  壁      Ｆ  床
２０１  収納式折り畳み椅子      ２０３  収容部      ２０４  開口
２０５  底板        ２０７  天板      ２０９  左側板
２１１  右側板      ２１３  背板      ２１５  棚板
２１７  引出      ２１９  扉板      ２２０  収容部
２２１  扉板      ２２３  扉板      ２２５  凹状取っ手
２２７  椅子本体      ２２９  収容部      Ｓ  収納庫
【図１】
2005177439.tif 000003
【図２】
2005177439.tif 000004
【図３】
2005177439.tif 000005
【図４】
2005177439.tif 000006
【図５】
2005177439.tif 000007
【図６】
2005177439.tif 000008
【図７】
2005177439.tif 000009
【図８】
2005177439.tif 000010
【図９】
2005177439.tif 000011
【図１０】
2005177439.tif 000012
【図１１】
2005177439.tif 000013